(57)【要約】【課題】  印刷が可能な画像と実際に印刷されるべき画像とをそれぞれ指定可能にする。【解決手段】  表示装置は、ユーザからの第１の指示に従って、表示手段に表示中の画像に対応する画像データを識別する識別情報を表示する。表示装置は、ユーザからの第２の指示に従って、表示されている識別情報のうち、ユーザによって選択された識別情報に対応する画像データに基づく印刷を印刷装置にさせる。【選択図】  図５
2008152459.tif 000002
【特許請求の範囲】
【請求項１】
表示装置であって、
画像を表示する表示手段と、
ユーザからの第１の指示に従って、表示手段に表示中の画像に対応する画像データを識別する識別情報を表示する識別情報表示手段と、
ユーザからの第２の指示に従って、前記識別情報表示手段によって表示されている識別情報のうち、ユーザによって選択された識別情報に対応する画像データに基づく印刷を印刷装置にさせる印刷制御手段を有することを特徴とする表示装置。
【請求項２】
前記識別情報表示手段は、前記識別情報として、画像データのそれぞれに対応するサムネイル画像を表示することを特徴とする請求項１に記載の表示装置。
【請求項３】
ユーザからの前記第１の指示に従って、表示手段に表示中の画像に対応する画像データを外部の情報処理装置に要求する要求手段と、
前記要求手段により要求された画像データを前記外部の情報処理装置から受信する受信手段と、
前記受信手段により受信された画像データを保存する保存手段とを有することを特徴とする請求項１或いは２に記載の表示装置。
【請求項４】
ユーザからの消去の指示に従って、前記保存手段に保存されている画像データを消去する消去手段を有することを特徴とする請求項１乃至３のいずれかに記載の表示装置。
【請求項５】
表示装置であって、
画像を表示する表示手段と、
ユーザからの第１の指示に従って、表示手段に表示中の画像に対応する画像データを含む画像データの一覧を表示する一覧表示手段と、
ユーザからの第２の指示に従って、前記一覧表示手段によって表示されている一覧のうち、ユーザによって選択された画像データに基づく印刷を印刷装置にさせる印刷制御手段を有することを特徴とする表示装置。
【請求項６】
表示装置に表示される画像の印刷を制御するために表示装置で行われる印刷制御方法であって、
ユーザからの第１の指示に従って、前記表示装置で表示中の画像に対応する画像データを識別する識別情報を前記表示装置に表示させる識別情報表示ステップと、
ユーザからの第２の指示に従って、前記表示装置によって表示されている識別情報のうち、ユーザによって選択された識別情報に対応する画像データに基づく印刷を印刷装置にさせる印刷制御ステップを有することを特徴とする印刷制御方法。
【請求項７】
表示装置に表示される画像の印刷を制御するために表示装置で行われる印刷制御方法であって、
ユーザからの第１の指示に従って、前記表示装置で表示中の画像に対応する画像データを含む画像データの一覧を前記表示装置に表示させる一覧表示ステップと、
ユーザからの第２の指示に従って、前記表示装置によって表示されている一覧のうち、ユーザによって選択された画像データに基づく印刷を印刷装置にさせる印刷制御ステップを有することを特徴とする印刷制御方法。
【請求項８】
請求項６或いは７に記載の印刷制御方法をコンピュータに実行させるための、前記コンピュータにより読み取り可能なプログラム。
【発明の詳細な説明】
【技術分野】
【０００１】
画像を表示する表示装置、画像の印刷を制御する印刷制御方法及び画像の印刷を制御するプログラムに関するものである。
【背景技術】
【０００２】
会議等で使用される文書（例えばプレゼンテーション資料）を参加者の要求に従って印刷したり、或いは文書の電子データをメールで送信したりするシステムがある（例えば、特許文献１）
このシステムでは、参加者が表示装置に表示されているスライドをプレゼンテーション資料として取得したい場合には、携帯端末を操作して、現在表示中のスライドの印刷要求をサーバに通知する。サーバは、その印刷要求に従って、どの参加者がどのプレゼンテーション資料のどのページを要求しているかを判断し、それらに関する情報を記憶する。プレゼンテーションが終了すると、サーバは記憶しておいた情報に基づいて参加者が所望のスライドの電子データをプリンタに送信し、そのスライドがプリンタによって印刷される。
【特許文献１】特開２００２−３６９１６７号公報
【発明の開示】
【発明が解決しようとする課題】
【０００３】
プレゼンテーション資料の内容や会議に参加しているメンバーの構成によっては、プレゼンテーション資料の全ページを参加者に配付することができない場合がある。例えば、プレゼンテーション資料の一部のページが機密情報等を含む場合に、そのページを発表の一環で参加者に見せるのは良くても、そのページを印刷物として参加者に渡すのは難しい場合がある。
【０００４】
一方、参加者は、そのようなプレゼンテーション資料がある場合に、どのページは印刷して持ち帰ることが可能で、どのページが持ち帰ることができないのかを認識しにくかった。
【０００５】
そこで、表示装置でつぎつぎに表示される複数の画像のうち、印刷が可能な画像を指定可能にすると共に、その印刷が可能な画像の中から、実際に印刷されるべき画像をさらに指定することができるのが望ましい。例えば、発表者が、印刷が可能な画像を指定し、参加者が、実際に印刷されるべき画像を指定することを可能にする。
【課題を解決するための手段】
【０００６】
本発明に係る表示装置は、画像を表示する表示手段と、ユーザからの第１の指示に従って、表示手段に表示中の画像に対応する画像データを識別する識別情報を表示する識別情報表示手段と、ユーザからの第２の指示に従って、前記識別情報表示手段によって表示されている識別情報のうち、ユーザによって選択された識別情報に対応する画像データに基づく印刷を印刷装置にさせる印刷制御手段を有することを特徴とする。
【０００７】
また、本発明に係る表示装置は、画像を表示する表示手段と、ユーザからの第１の指示に従って、表示手段に表示中の画像に対応する画像データを含む画像データの一覧を表示する一覧表示手段と、ユーザからの第２の指示に従って、前記一覧表示手段によって表示されている一覧のうち、ユーザによって選択された画像データに基づく印刷を印刷装置にさせる印刷制御手段を有することを特徴とする。
【０００８】
また、本発明に係る印刷制御方法は、表示装置に表示される画像の印刷を制御するために表示装置で行われる印刷制御方法であって、ユーザからの第１の指示に従って、前記表示装置で表示中の画像に対応する画像データを識別する識別情報を前記表示装置に表示させる識別情報表示ステップと、ユーザからの第２の指示に従って、前記表示装置によって表示されている識別情報のうち、ユーザによって選択された識別情報に対応する画像データに基づく印刷を印刷装置にさせる印刷制御ステップを有することを特徴とする。
【０００９】
また、本発明に係る印刷制御方法は、表示装置に表示される画像の印刷を制御するために表示装置で行われる印刷制御方法であって、ユーザからの第１の指示に従って、前記表示装置で表示中の画像に対応する画像データを含む画像データの一覧を前記表示装置に表示させる一覧表示ステップと、ユーザからの第２の指示に従って、前記表示装置によって表示されている一覧のうち、ユーザによって選択された画像データに基づく印刷を印刷装置にさせる印刷制御ステップを有することを特徴とする。
【００１０】
また、本発明に係るプログラムは、前記印刷制御方法をコンピュータに実行させるための、前記コンピュータにより読み取り可能なプログラムであることを特徴とする。
【発明の効果】
【００１１】
印刷が可能な画像と実際に印刷されるべき画像とをそれぞれ指定可能にすることにより、印刷を許可したい画像を制限しつつ、所望の画像の印刷を指示することができる。
【発明を実施するための最良の形態】
【００１２】
（実施例１）
図１は、本発明を適用するのに好適なシステムの構成を示す図である。
【００１３】
表示装置１００は、情報処理装置１１０からの制御信号または表示装置１００内のＣＰＵからの制御信号に基づいて、画像を表示する。表示装置１００における画像表示部分は液晶やＣＲＴなど様々なものがあるが、その表示方式は問わない。
【００１４】
情報処理装置１１０は表示装置で表示されるべき画像データを生成し、そのデータを表示装置１００に送信すると共に、そのデータの表示を制御する制御信号を表示装置１００に送信する。情報処理装置はパーソナルコンピュータやワークステーションなどである。
【００１５】
印刷装置１２０は、表示装置からの制御信号に従って、表示装置からの画像データに基づいて画像を用紙に印刷する。印刷装置１２０は、レーザビームプリンタやインクジェットプリンタなどである。
【００１６】
通信媒体１０１は表示装置１００と情報処理装置１１０とを接続するものであり、ネットワーク、無線ＬＡＮ、ＵＳＢ（Ｕｎｉｖｅｒｓａｌ  Ｓｅｒｉａｌ  Ｂｕｓ）などである。通信媒体１０２は表示装置１００と印刷装置１２０とを接続するものであり、ネットワーク、無線ＬＡＮ、ＵＳＢ（Ｕｎｉｖｅｒｓａｌ  Ｓｅｒｉａｌ  Ｂｕｓ）などである。なお、通信媒体１０１と通信媒体１０２とが同一になっていても良い。
【００１７】
図２は、情報処理装置１１０のハードウェア構成を示す図である。情報処理装置１１０は、ＣＰＵ２０１、メモリ２０２、入力装置２０３、ネットワークインターフェース２０４、ビデオインターフェース２０５及び通信バス２０６を有する。また、情報処理装置１１０は、表示装置１００とは異なる表示装置を有していても良い。
【００１８】
ＣＰＵ２０１は、情報処理装置１１０の動作を制御する。メモリ２０２は、ＣＰＵ２０１に使用されるデータを格納する。入力装置２０３は、ユーザが各種の情報を入力するために使用するものである。入力装置２０３の例として、キーボード、マウス、タブレット等が挙げられる。
【００１９】
ネットワークインターフェース２０４は情報処理装置１１０をネットワークに接続するものであり、ネットワークを介して情報のやり取りを行う。ビデオインターフェース２０５は、表示装置１００を制御するための制御信号または表示装置１００に表示される画像データを表示装置１００に送信する。通信バス２０６は、ＣＰＵ２０１、メモリ２０２、入力装置２０３、ネットワークインターフェース２０４、ビデオインターフェース２０５の間を接続する。
【００２０】
図３は印刷装置１２０のハードウェア構成を示す図である。印刷装置１２０はＣＰＵ３０１、メモリ３０２、表示部３０３、ネットワークインターフェース３０４、入出力インターフェース３０５、印刷部３０６及び通信バス３０７を有する。
【００２１】
ＣＰＵ３０１は印刷装置１２０の動作を制御する。その他、ＣＰＵ３０１は、外部から受信した画像データを、印刷部３０６が解釈可能な記録信号に変換する変換処理なども行う。メモリ３０２はＣＰＵ３０１によって使用されるデータを格納する。表示部３０３は、印刷の進行状況を示す情報や印刷装置１２０の状態を示す情報を表示する。
【００２２】
ネットワークインターフェース３０４は印刷装置１２０をネットワークに接続するものであり、ネットワークを介して情報のやり取りを行う。入出力インターフェース３０５は印刷装置１２０と外部装置とを接続するものであり、外部装置との間で情報のやり取りを行う。印刷部３０６は記録信号に基づいて画像を用紙に印刷する。印刷部３０６における印刷方式はインクジェット方式、レーザビーム方式、昇華型など様々なものがあるが、その印刷方式は問わない。通信バス３０７は、ＣＰＵ３０１、メモリ３０２、表示部３０３、ネットワークインターフェース３０４、入出力インターフェース３０５、印刷部３０６の間を接続する。
【００２３】
図４は表示装置１００のハードウェア構成を示す図である。表示装置１００は、ＣＰＵ４０１、メモリ４０２、タッチパネル４０３、表示部４０４、ネットワークインターフェース４０５、入出力インターフェース４０６及び通信バス４０７を有する。
【００２４】
ＣＰＵ４０１は表示装置１００の動作を制御する。例えば、ＣＰＵ４０１は、メモリ４０２はＣＰＵ４０１によって使用されるデータを格納する。タッチパネル４０３は、表示部４０４の表面に貼付される形で設置され、ユーザによるデータ入力やユーザからの指示を受け付ける。表示部３０３は、画像データに基づく画像を表示する。画像データは情報処理装置１１０によって送信され、ネットワークインターフェース４０５または入出力インターフェース４０６を介して表示装置１００によって受信される。
【００２５】
ネットワークインターフェース３０４は表示装置１００をネットワークに接続するものであり、ネットワークを介して情報のやり取りを行う。入出力インターフェース３０５は表示装置１００と外部装置とを接続するものであり、外部装置との間で情報のやり取りを行う。通信バス４０７はＣＰＵ４０１、メモリ４０２、タッチパネル４０３、表示部４０４、ネットワークインターフェース４０５、入出力インターフェース４０６の間を接続する。
【００２６】
図５は、表示装置１００に表示される画面構成を示す図である。表示装置１００は、複数の画像データのそれぞれに対応する画像を別々の制御に従って表示するオーバーレイ表示をすることができる。画面５００上には、メイン表示領域５０１、サムネイル画像表示領域５０２、ボタン５０３〜５１０が配置されている。
【００２７】
メイン表示領域５０１には、情報処理装置１１０から受信した画像データに基づく画像が情報処理装置１１０からの指示に従って表示される。画像データに基づく画像がプレゼンテーション資料である場合、ユーザはこのメイン表示領域を主に閲覧する。
【００２８】
ユーザがボタン５０４を押下すると、表示装置１００は次のページの画像データを情報処理装置１１０に要求する。情報処理装置１１０はその要求に従って、次のページの画像データを表示装置１００に送信する。ユーザがボタン５０３を押下すると、表示装置１００は前のページの画像データを情報処理装置１１０に要求し、情報処理装置１１０は前のページの画像データを表示装置１００に送信する。なお、ボタン５０３及びボタン５０４はプレゼンテーションの補助的な役割を果たし、必ず必要なものではない。
【００２９】
ユーザがボタン５０５を押下すると、表示装置１００は、メイン表示領域５０１に表示されている画像に対応する画像データをメモリ４０２内の第１の保存領域に保存する。その結果、保存された画像データを識別するサムネイル画像がサムネイル画像表示領域５０２に追加・表示される。例えば、プレゼンテーションの発表者が、現在表示中のページは印刷を許可しても構わないと判断した場合には、このボタン５０５を押下する。これにより、印刷が可能なページを示すサムネイル画像がサムネイル画像表示領域５０２に表示される。
【００３０】
サムネイル画像表示領域５０２には、保存された画像データを識別するサムネイル画像５１１のほか、そのサムネイル画像５１１を選択するためのチェックボックス５１２が表示される。つまり、サムネイル画像表示領域５０２には、保存されている画像データのそれぞれに対応するサムネイル画像とチェックボックスとの一覧が表示されている。ユーザがチェックボックス５１２を押下すると、そのチェックボックス５１２に対応するサムネイル画像５１１が選択状態になる。次にユーザがチェックボックス５１２を押下すると、サムネイル画像５１１は非選択状態に戻る。選択状態の場合には、チェックボックス内にチェックマークが表示される。図５の例では、ページ２に対応するサムネイル画像及びページ７に対応するサムネイル画像が選択状態になっている。
【００３１】
ユーザがボタン５０７を押下すると、サムネイル画像表示領域５０２内の全てのサムネイル画像が選択状態になり、全てのチェックボックス内にチェックマークが表示される。ユーザがボタン５０８を押下すると、現時点で選択状態になっているサムネイル画像が非選択状態になり、全てのチェックマークが消える。
【００３２】
ユーザがボタン５０９を押下すると、現時点で選択状態になっているサムネイル画像がサムネイル画像表示領域５０２から消え、そのサムネイル画像に対応する画像データがメモリ４０２内の第１の保存領域から消去される。さらに、そのサムネイル画像に対応するサムネイル画像データがメモリ４０２内の第２の保存領域から消去される。この再、実際に画像データが消去される前に、削除意思の再確認をユーザに促すメッセージが表示されても良い。このメッセージの表示処理はＣＰＵ４０１によって制御される。
【００３３】
ユーザがボタン５１０を押下すると、現時点で選択状態になっているサムネイル画像に対応する画像データが印刷処理される。
【００３４】
図６は、表示装置１００によって実行される保存処理を示すフローチャートである。ＣＰＵ４０１がこのフローチャートに基づくプログラムを実行することにより、この保存処理が実行される。
【００３５】
ステップＳ６０１では、表示装置１００はボタン５０５が押下されたかどうかを判断する。ボタン５０５が押下された場合にはステップＳ６０２に移行する。
【００３６】
ステップＳ６０２では、表示装置１００は、画面５００上に表示されている他のボタンの受付を禁止するとともに、表示されるページの変更をするための情報処理装置１１０からのコマンドの受付を禁止する。ステップＳ６０３では、表示装置１００は、現時点でメイン表示領域５０１に表示されている画像の画像データをメモリ４０２内の第１の保存領域に保存する。このとき、表示装置１００は画像データを暗号化し、暗号化された画像データをメモリ４０２に保存する。
【００３７】
ステップＳ６０４では、表示装置１００は、ステップＳ６０３で保存された画像データに基づいて、表示される画像が縮小されたサムネイル画像データを生成し、そのサムネイル画像データをメモリ４０２内の第２の保存領域に保存する。そして、そのサムネイル画像データに基づくサムネイル画像をサムネイル画像表示領域５０２に表示する。
【００３８】
ステップＳ６０５では、表示装置１００は、画面５００上に表示されている他のボタンの受付を再開するとともに、表示されるページの変更をするための情報処理装置１１０からのコマンドの受付も再開する。
【００３９】
図７は、表示装置１００によって実行される印刷処理を示すフローチャートである。ＣＰＵ４０１がこのフローチャートに基づくプログラムを実行することにより、この印刷処理が実行される。
【００４０】
ステップＳ７０１では、表示装置１００はボタン５１０が押下されたかどうかを判断する。ボタン５１０が押下された場合にはステップＳ７０２に移行する。
【００４１】
ステップＳ７０２では、表示装置１００は、メイン表示領域５０１を用いた画像の表示が実行中であるかどうかを判断する。メイン表示領域５０１を用いた画像データの表示が実行中であればステップＳ７０３に移行し、メイン表示領域５０１を用いた画像データの表示が実行中でなければステップＳ７０５に移行する。
【００４２】
ステップＳ７０３では、表示装置１００は、選択状態になっているサムネイル画像のそれぞれの印刷枚数を１枚に設定する。そして、ステップＳ７０４では、表示装置１００は、設定された印刷枚数を示す印刷枚数情報とともに、選択状態になっているサムネイル画像に対応する画像データを印刷装置１２０に送信する。選択状態になっているサムネイル画像が複数存在する場合には、サムネイル画像ごとに、印刷枚数情報と画像データとを印刷装置１２０に送信する。画像データが印刷装置１２０によって解釈可能な形式であれば、表示装置１００は画像データをそのまま印刷装置１２０に送信しても良い。或いは、表示装置１００が画像データを印刷装置１２０が解釈可能な形式に変換した上で、変換後の画像データを印刷装置１２０に送信しても良い。
【００４３】
ステップＳ７０５では、表示装置１００は、印刷枚数を指定するための画面を表示し、選択状態になっているサムネイル画像ごとに印刷枚数の指定を受け付ける。
【００４４】
図８は、印刷枚数を指定するための画面の一例を示す図である。画面８００上には、サムネイル画像表示領域５０２で選択状態になっているサムネイル画像の一覧が表示される。サムネイル画像８０１には、ボタン８０３と印刷枚数を表示する表示領域８０２が設けられている。ユーザがボタン８０３を押下することにより、印刷枚数が増加または減算される。初期状態では、各サムネイル画像に対応する印刷枚数は１枚である。図８の例では、全てのサムネイル画像に対応する印刷枚数が１枚になっている。
【００４５】
ステップＳ７０６では、表示装置１００はボタン８０４及びボタン８０５のいずれかが押下されたかどうかを判断する。いずれかのボタンが押下された場合にはステップＳ７０７に移行する。ステップＳ７０６では、表示装置１００はボタン８０４が押下されたかどうかを判断する。ボタン８０４が押下された場合にはステップＳ７０８に移行する。一方、ボタン８０５が押下された場合には、印刷処理を取り消すべく、ステップＳ７０１に移行する。
【００４６】
ステップＳ７０８では、表示装置１００は、画面８００で指定された印刷枚数を示す印刷枚数情報とともに、選択状態になっているサムネイル画像に対応する画像データを印刷装置１２０に送信する。選択状態になっているサムネイル画像が複数存在する場合には、サムネイル画像ごとに、印刷枚数情報と画像データとを印刷装置１２０に送信する。画像データが印刷装置１２０によって解釈可能な形式であれば、表示装置１００は画像データをそのまま印刷装置１２０に送信しても良い。或いは、表示装置１００が画像データを印刷装置１２０が解釈可能な形式に変換した上で、変換後の画像データを印刷装置１２０に送信しても良い。
【００４７】
なお、ステップＳ７０８では、表示装置１００は、印刷処理されている画像データのプレビュー画面を順次表示する。図９はプレビュー画面の一例を示す図である。
【００４８】
メイン表示領域５０１では、印刷処理されている画像データがプレビューされている。サムネイル画像表示領域５０２では、プレビュー中の画像データに対応するサムネイル画像が強調表示されている。強調表示は、例えば外枠の表示色を変更するなどで行われる。また図示していないが、印刷対象になっている画像データの総数を示す数値や、プレビュー中の画像データがその総数における何番目であるかを示す数値などが表示されていても良い。
【００４９】
図１０は、表示装置１００によって実行される終了処理を示すフローチャートである。ＣＰＵ４０１がこのフローチャートに基づくプログラムを実行することにより、この終了処理が実行される。
【００５０】
ステップＳ１００１では、表示装置１００は、ボタン５０６が押下されたかどうかを判断する。ボタン５０６が押下された場合にはステップＳ１００２に移行する。
【００５１】
ステップＳ１００２では、表示装置１００は、終了モードを選択するための画面を表示する。図１１は終了モードを選択するための画面の一例を示す図である。終了モードを選択するための画面１１００は画面５００上に重ねて表示される。画面１１００にはボタン１１０１〜１１０３が表示されている。ボタン１１０１はセキュリティモードを選択するボタンであり、ボタン１１０２は再利用モードを選択するボタンである。
【００５２】
ステップＳ１００３ではまず、表示装置１００はボタン１１０１が押下されたかどうかを判断する。ボタン１１０１が押下された場合にはステップＳ１００４に移行し、ボタン１１０１が押下されていない場合にはステップＳ１００５に移行する。
【００５３】
ステップＳ１００４では、表示装置１００はメモリ４０２内の保存領域に保存されている画像データを全て消去する。例えば、プレゼンテーションを行うために一時的に表示装置１００が利用されている場合には、プレゼンテーションに使用された資料がのちのちに印刷されるのを防ぐためにセキュリティモードが使用される。
【００５４】
ステップＳ１００５では、表示装置１００はボタン１１０２が押下されたかどうかを判断する。ボタン１１０２が押下されていない場合にはステップＳ１００６に移行する。ボタン１１０２が押下された場合には、表示装置１００はメモリ４０２内の保存領域に保存されている画像データを消去することなく、処理を終了する。例えば、今回保存された画像データをのちのち印刷する必要がある場合には再利用モードが使用される。
【００５５】
ステップＳ１００６では、表示装置１００はボタン１１０３が押下されたかどうかを判断する。ボタン１１０２が押下された場合にはステップＳ１００７に移行する。ボタン１１０２が押下されていない場合には、ボタン１１０１〜１１０３のいずれも押下されていないので、ステップＳ１００３に移行する。
【００５６】
ステップＳ１１０７では、表示装置１００は、表示部４０４に表示されている内容を、画面１１００が表示される前の状態に戻す。
【００５７】
上記の説明では、ボタン５０５は、印刷を許可された画像を指定するためのものだった。が、このボタン５０５を、印刷を禁止された画像を指定するためのボタンに置き換えても良い。この場合には、ボタン５０５が押下されなかった画像が、印刷が可能な画像として指定されたことになる。つまり、ボタン５０５が押下されなかった画像に対応する画像データがメモリ４０２内の第１の保存領域に保存される。さらに、ボタン５０５が押下されなかった画像に対応するサムネイル画像がサムネイル画像表示領域５０２に追加・表示される。
【００５８】
以上説明したように、表示装置でつぎつぎに表示される複数の画像のうち、印刷が可能な画像を指定可能にすると共に、その印刷が可能な画像の中から、実際に印刷されるべき画像をさらに指定することができる。
【００５９】
また、サムネイル画像の一覧を表示して印刷したい画像を選択可能にすることにより、過去に表示されていた画像の印刷を所望することができる。これにより、資料の持ち帰りによる情報漏洩を軽減することができる。
【００６０】
また、会議等の参加者は、プレゼンテーション資料の一部を印刷物として持って帰ることができる。
【００６１】
また、資料を事前に印刷しておく必要が無く、ユーザが所望する部分だけを印刷可能であり、不要な部分の印刷を防止できる。よって、紙資源の節約を促進することができる。
【００６２】
（実施例２）
実施例１では、印刷対象となる画像の画像データが表示装置１００内のメモリ４０２に保存され、その画像データが表示装置１００から印刷装置１２０に送信されることにより、画像データに基づく画像が印刷される。
【００６３】
しかし、表示装置１００での表示に適した画像データの解像度と、印刷装置１２０での印刷に適した画像データの解像度とは必ずしも一致せず、この場合には、印刷装置１２０での印刷に適したより高解像度の画像データが生成されることが望ましい。そこで、実施例２では、印刷用の画像データが情報処理装置１１０によって生成される。
【００６４】
図１２は、表示装置１００によって実行される第２の保存処理を示すフローチャートである。ＣＰＵ４０１がこのフローチャートに基づくプログラムを実行することにより、この第２の保存処理が実行される。
【００６５】
ステップＳ１２０１では、表示装置１００はボタン５０５が押下されたかどうかを判断する。ボタン５０５が押下された場合にはステップＳ１２０２に移行する。
【００６６】
ステップＳ１２０２では、表示装置１００は、画面５００上に表示されている他のボタンの受付を禁止するとともに、表示されるページの変更をするための情報処理装置１１０からのコマンドの受付を禁止する。ステップＳ１２０３では、表示装置１００は、現時点でメイン表示領域５０１に表示されている画像に対応する印刷用の画像データをメモリ４０２内の第１の保存領域に保存する。詳細は図１３で説明する。
【００６７】
ステップＳ１２０４では、表示装置１００は、ステップＳ１２０３で生成されるサムネイル画像データに基づくサムネイル画像をサムネイル画像表示領域５０２に表示する。
【００６８】
ステップＳ１２０５では、表示装置１００は、画面５００上に表示されている他のボタンの受付を再開するとともに、表示されるページの変更をするための情報処理装置１１０からのコマンドの受付も再開する。
【００６９】
図１３は、図１２のステップＳ１２０３で実行される処理を示すフローチャートである。ＣＰＵ４０１がこのフローチャートに基づくプログラムを実行することにより、この処理が実行される。
【００７０】
ステップＳ１３０１では、表示装置１００は、印刷用の画像データを求める要求を情報処理装置１１０に送信する。ステップＳ１３０２では、表示装置１００は、現時点でメイン表示領域５０１に表示されている画像の画像データに基づいてサムネイル画像データを生成し、そのサムネイル画像データをメモリ４０２内の第２の保存領域に保存する。
【００７１】
ステップＳ１３０３では、表示装置１００は、印刷用の画像データを情報処理装置１１０から受信すると共に、その印刷用の画像データをメモリ４０２の第１の保存領域に保存する。さらに、表示装置１００は、印刷用の画像データを指し示すポインタ情報をサムネイル画像データに付加する。
【００７２】
一方、情報処理装置１１０は以下のステップを実行する。まず、ステップＳ１３０４では、情報処理装置１１０は印刷用の画像データを求める要求を表示装置１００から受信する。
【００７３】
ステップＳ１３０５では、情報処理装置１１０は、表示装置１００で表示されているページに対応するデータを画像データに変換する。つぎに、ステップＳ１３０６では、情報処理装置１１０は、画像データの解像度を、印刷に適した解像度（例えば、一般的な印刷装置の解像度である６００ｄｐｉ）に変換する。さらに、ステップＳ１３０７では、情報処理装置１１０は、解像度変換が行われた後の画像データに基づいて印刷用の画像データを生成し、その印刷用の画像データを表示装置１００に送信する。
【００７４】
表示装置１００が図７のフローチャートに基づく印刷処理を実行した場合には、印刷用の画像データが印刷装置１２０に送信される。この際に、情報処理装置１１０は、選択状態になっているサムネイル画像に対応する画像データからポイント情報を抽出し、そのポイント情報が指し示す印刷用の画像データを印刷装置１２０に送信する。
【００７５】
（実施例３）
実施例２では、サムネイル画像データが別途生成され保存されていた。実施例３では、表示装置１００はサムネイル画像を印刷用の画像データに基づいて表示する。
【００７６】
図１４は、表示装置１００によって実行される第３の保存処理を示すフローチャートである。ＣＰＵ４０１がこのフローチャートに基づくプログラムを実行することにより、この第３の保存処理が実行される。
【００７７】
ステップＳ１４０１では、表示装置１００はボタン５０５が押下されたかどうかを判断する。ボタン５０５が押下された場合にはステップＳ１４０２に移行する。
【００７８】
ステップＳ１４０２では、表示装置１００は、画面５００上に表示されている他のボタンの受付を禁止するとともに、表示されるページの変更をするための情報処理装置１１０からのコマンドの受付を禁止する。
【００７９】
ステップＳ１４０３では、表示装置１００は、現時点でメイン表示領域５０１に表示されている画像に対応する印刷用の画像データをメモリ４０２内の第１の保存領域に保存する。詳細は図１５で説明する。
【００８０】
ステップＳ１４０４では、表示装置１００は印刷用の画像データをダウンサンプリングすることによりサムネイル画像を生成し、ステップＳ１４０５では、そのサムネイル画像をサムネイル画像表示領域５０２に表示する。
【００８１】
ステップＳ１４０６では、表示装置１００は、画面５００上に表示されている他のボタンの受付を再開するとともに、表示されるページの変更をするための情報処理装置１１０からのコマンドの受付も再開する。
【００８２】
図１５は、図１４のステップＳ１４０３で実行される処理を示すフローチャートである。ＣＰＵ４０１がこのフローチャートに基づくプログラムを実行することにより、この処理が実行される。
【００８３】
ステップＳ１５０１では、表示装置１００は、印刷用の画像データを求める要求を情報処理装置１１０に送信する。ステップＳ１５０２では、表示装置１００は、印刷用の画像データを情報処理装置１１０から受信すると共に、その印刷用の画像データをメモリ４０２の第１の保存領域に保存する。
【００８４】
一方、情報処理装置１１０は以下のステップを実行する。まず、ステップＳ１５０３では、情報処理装置１１０は印刷用の画像データを求める要求を表示装置１００から受信する。
【００８５】
ステップＳ１５０４では、情報処理装置１１０は、表示装置１００で表示されているページに対応するデータを画像データに変換する。つぎに、ステップＳ１５０５では、情報処理装置１１０は、画像データの解像度を、印刷に適した解像度（例えば、一般的な印刷装置の解像度である６００ｄｐｉ）に変換する。さらに、ステップＳ１５０６では、情報処理装置１１０は、解像度変換が行われた後の画像データに基づいて印刷用の画像データを生成し、その印刷用の画像データを表示装置１００に送信する。
【００８６】
（実施例４）
図５の例では、プレゼンテーションの資料がメイン表示領域５０１に表示されている場合でも、サムネイル画像表示領域５０２やボタン５０３〜５１０がはっきり表示されていた。
【００８７】
図１６は図５の変形例である。図１６の例では、サムネイル画像表示領域５０２やボタン５０３〜５１０の表示の明るさが通常よりも暗くなっている。ユーザが画像データの保存や画像データの印刷を希望していない間は、メイン表示領域５０１以外の部分の輝度を下げて、メイン表示領域５０１に表示されている資料の視認性を高める。プレゼンテーションの終了後には、メイン表示領域５０１以外の部分の表示の明るさは通常の明るさになる。また、上記のような明るさの制御を自動的に行うか否かを切り替えるためのスイッチを、ハードキーまたはソフトキーとして設けても良い。
【００８８】
（実施例５）
なお、本発明は、前述した実施形態の機能を実現するソフトウェアのプログラムを、システム或いは装置に直接或いは遠隔から供給し、そのシステム或いは装置のコンピュータが該供給されたプログラムを読み出して実行することによっても達成され得る。その場合、プログラムの機能を有していれば、形態は、プログラムである必要はない。
【００８９】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等、プログラムの形態を問わない。
【００９０】
プログラムを供給するための記録媒体としては、様々なものが使用できる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００９１】
その他、プログラムの供給方法としては、クライアントコンピュータのブラウザを用いてインターネットのホームページに接続し、該ホームページからハードディスク等の記録媒体にダウンロードすることによっても供給できる。その場合、ダウンロードされるのは、本発明のコンピュータプログラムそのもの、もしくは圧縮され自動インストール機能を含むファイルであってもよい。
【００９２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００９３】
また、本発明のプログラムを暗号化してＣＤ−ＲＯＭ等の記憶媒体に格納してユーザに配布する形態としても良い。その場合、所定の条件をクリアしたユーザに対し、インターネットを介してホームページから暗号化を解く鍵情報をダウンロードさせ、その鍵情報を使用することにより暗号化されたプログラムが実行可能な形式でコンピュータにインストールされるようにする。
【００９４】
また、コンピュータが、読み出したプログラムを実行することによって、前述した実施形態の機能が実現される形態以外の形態でも実現可能である。例えば、そのプログラムの指示に基づき、コンピュータ上で稼動しているＯＳなどが、実際の処理の一部または全部を行ない、その処理によっても前述した実施形態の機能が実現され得る。
【００９５】
更に、記録媒体から読み出されたプログラムが、コンピュータに挿入された機能拡張ボードやコンピュータに接続された機能拡張ユニットに備わるメモリに書き込まれるようにしてもよい。この場合、その後で、そのプログラムの指示に基づき、その機能拡張ボードや機能拡張ユニットに備わるＣＰＵなどが実際の処理の一部または全部を行ない、その処理によって前述した実施形態の機能が実現される。
【図面の簡単な説明】
【００９６】
【図１】本発明を適用するのに好適なシステムの構成を示す図である。
【図２】情報処理装置１１０のハードウェア構成を示す図である。
【図３】印刷装置１２０のハードウェア構成を示す図である。
【図４】表示装置１００のハードウェア構成を示す図である。
【図５】表示装置１００に表示される画面構成を示す図である。
【図６】表示装置１００によって実行される保存処理を示すフローチャートである。
【図７】表示装置１００によって実行される印刷処理を示すフローチャートである。
【図８】印刷枚数を指定するための画面の一例を示す図である。
【図９】プレビュー画面の一例を示す図である。
【図１０】表示装置１００によって実行される終了処理を示すフローチャートである。
【図１１】終了モードを選択するための画面の一例を示す図である。
【図１２】表示装置１００によって実行される第２の保存処理を示すフローチャートである。
【図１３】図１２のステップＳ１２０３で実行される処理を示すフローチャートである。
【図１４】表示装置１００によって実行される第３の保存処理を示すフローチャートである。
【図１５】図１４のステップＳ１４０３で実行される処理を示すフローチャートである。
【図１６】表示装置１００に表示される画面構成の変形例である。
【符号の説明】
【００９７】
１００  表示装置
１１０  情報処理装置
１２０  印刷装置
１０１  通信媒体
１０２  通信媒体
【図１】
2008152459.tif 000003
【図２】
2008152459.tif 000004
【図３】
2008152459.tif 000005
【図４】
2008152459.tif 000006
【図５】
2008152459.tif 000007
【図６】
2008152459.tif 000008
【図７】
2008152459.tif 000009
【図８】
2008152459.tif 000010
【図９】
2008152459.tif 000011
【図１０】
2008152459.tif 000012
【図１１】
2008152459.tif 000013
【図１２】
2008152459.tif 000014
【図１３】
2008152459.tif 000015
【図１４】
2008152459.tif 000016
【図１５】
2008152459.tif 000017
【図１６】
2008152459.tif 000018